(57)【要約】【課題】  画像補正処理のパラメタ設定を簡素化する。【解決手段】  画像補正処理を行なう画像処理装置において、補正値を一定時間ごとに更新する補正値自動更新手段と、前記補正値自動更新手段を制御する制御手段を持つことを特徴とする。【選択図】  図３
2006155469.tif 000002
【特許請求の範囲】
【請求項１】
画像補正処理を行なう画像処理装置において、補正値を一定時間ごとに更新する補正値自動更新手段と、前記補正値自動更新手段を制御する制御手段を持つことを特徴とした画像処理装置。
【請求項２】
画像補正処理を行なう画像処理装置において、補正対象を表示する補正対象表示手段と補正値を一定時間ごとに更新する補正値自動更新手段と、前記更新手段による更新に同期して、前記補正対象表示手段を更新する補正対象表示手段更新手段と、前記補正値自動更新手段を制御する制御手段を持つことを特徴とした画像処理装置。
【請求項３】
画像補正処理を行なう画像処理装置において、補正対象を表示する補正対象表示手段と補正値の増減の方向を検出する補正更新方向検出手段と、補正値を一定時間ごとに更新する補正値自動更新手段と、前記更新手段による更新に同期して、前記補正対象表示手段を更新する補正対象表示手段更新手段と、前記補正値自動更新手段を制御する制御手段を持つことを特徴とした画像処理装置。
【請求項４】
請求項１乃至３のいずれかの画像処理装置において、前記補正値自動更新手段による補正値の更新が補正値を増加、もしくは減少させることを特徴とした画像処理装置。
【請求項５】
請求項１乃至３のいずれかの画像処理装置において、前記制御手段が補正値の移動範囲を限定することを特徴とする画像処理装置。
【請求項６】
請求項１乃至３のいずれかの画像処理装置において、前記制御手段が所定条件下で更新操作を中断することを特徴とした画像処理装置。
【請求項７】
請求項６の画像処理装置において、前記所定条件が中断コマンドが送られたときに更新操作を中断することを特徴とした画像処理装置。
【請求項８】
請求項４の画像処理装置において、前記制御手段が逆転コマンドが送られたときに前記補正値更新手段による補正値の増減が逆転することを特徴とした画像処理装置。
【請求項９】
請求項１乃至４のいずれかの画像処理装置において、前記制御手段が変速コマンドを送られたときに前記補正更新手段による更新速度、あるいは、更新する値の間隔が変化することを特徴とした画像処理装置。
【請求項１０】
請求項３の画像処理装置において、前記補正更新方向検出手段が画像情報を利用することを特徴とする画像処理装置。
【請求項１１】
請求項１０の画像処理装置において、前記画像情報が画像の特定領域のヒストグラムを利用することを特徴とした画像処理装置。
【請求項１２】
請求項５の画像処理装置において、移動範囲によって、補正値のピッチ、もしくは更新速度が変更されることを特徴とした画像処理装置。
【請求項１３】
請求項１２の画像処理装置において、移動範囲が広い場合は、補正ピッチを荒く、もしくは更新速度を速く、移動範囲が狭い場合は、補正ピッチを細かく、あるいは、更新速度を遅くすることを特徴とした画像処理装置。
【請求項１４】
画像補正処理を行なう画像処理方法において、補正値を一定時間ごとに更新する補正値自動更新工程と、前記補正値自動更新工程を制御する制御工程を持つことを特徴とした画像処理方法。
【請求項１５】
画像補正処理を行なう画像処理方法において、補正対象を表示する補正対象表示工程と補正値を一定時間ごとに更新する補正値自動更新工程と、前記更新工程による更新に同期して、前記補正対象表示工程を更新する補正対象表示工程更新工程と、前記補正値自動更新工程を制御する制御工程を持つことを特徴とした画像処理方法。
【請求項１６】
画像補正処理を行なう画像処理方法において、補正対象を表示する補正対象表示工程と補正値の増減の方向を検出する補正更新方向検出工程と、補正値を一定時間ごとに更新する補正値自動更新工程と、前記更新工程による更新に同期して、前記補正対象表示工程を更新する補正対象表示工程更新工程と、前記補正値自動更新工程を制御する制御工程を持つことを特徴とした画像処理方法。
【請求項１７】
請求項１４乃至１６のいずれかの画像処理方法において、前記補正値自動更新工程による補正値の更新が補正値を増加、もしくは減少させることを特徴とした画像処理方法。
【請求項１８】
請求項１４乃至１６のいずれかの画像処理方法において、前記制御工程が補正値の移動範囲を限定することを特徴とする画像処理方法。
【請求項１９】
請求項１４乃至１６のいずれかの画像処理方法において、前記制御工程が所定条件下で更新操作を中断することを特徴とした画像処理方法。
【請求項２０】
請求項１９の画像処理方法において、前記所定条件が中断コマンドが送られたときに更新操作を中断することを特徴とした画像処理方法。
【請求項２１】
請求項１７の画像処理方法において、前記制御工程が逆転コマンドが送られたときに前記補正値更新工程による補正値の増減が逆転することを特徴とした画像処理方法。
【請求項２２】
請求項１４乃至１７のいずれかの画像処理方法において、前記制御工程が変速コマンドを送られたときに前記補正更新工程による更新速度、あるいは、更新する値の間隔が変化することを特徴とした画像処理方法。
【請求項２３】
請求項１６の画像処理方法において、前記補正更新方向検出工程が画像情報を利用することを特徴とする画像処理方法。
【請求項２４】
請求項２１の画像処理方法において、前記画像情報が画像の特定領域のヒストグラムを利用することを特徴とした画像処理方法。
【請求項２５】
請求項１８の画像処理方法において、移動範囲によって、補正値のピッチ、もしくは更新速度が変更されることを特徴とした画像処理方法。
【請求項２６】
請求項２５の画像処理方法において、移動範囲が広い場合は、補正ピッチを荒く、もしくは更新速度を速く、移動範囲が狭い場合は、補正ピッチを細かく、あるいは、更新速度を遅くすることを特徴とした画像処理方法。
【発明の詳細な説明】
【技術分野】
【０００１】
画像処理装置で使用するためのシステム。すなわち、レタッチソフトなどである。
【背景技術】
【０００２】
色調整を行なう際に、画像を表示して、スライダバーで補正値を設定する方法と自動色補正機能として、自動的にパラメタを設定し、調整を行なう機能がある。
【０００３】
前者の方法は、自由度がある反面、調整をユーザーが補正値を設定したり、スライダバーをドラッグしたりして、操作をしなければならず、画像上の補正状況に集中することができなかった。
【０００４】
また、マウスの操作を行い、プレビューを行なうために、ユーザーの操作時間に対して、プレビューする補正値の数が非常に少なく、非効率的であった。
【０００５】
また、後者の方法は、計算上最も最適なパラメタを自動的に設定するため、説得力があるが、ユーザーの好みは多様であり、再度補正が必要な場合があった。
【０００６】
従来、この自動色調整した結果のパラメタも同時に表示して、ユーザーが再度調整を行なうことは可能であった（例えば、特許文献１参照。）。
【０００７】
これにより、ユーザーは自動色補正の結果を自由に変更することできるようになった。
【特許文献１】特開２００１−０６１０７５号公報
【発明の開示】
【発明が解決しようとする課題】
【０００８】
しかしながら、特許文献１の方法によってもユーザーがスライダバーの調整を行なわねばならないため、前者のような問題が起きていた。
【０００９】
前述したように、画像補正を行う際に、試行錯誤の回数が操作時間に対してとても少ない。また、ユーザーは補正を行なう際の試行錯誤をドラッグでマウスの操作で行なわなければならず面倒であった。
【００１０】
本発明は以上の点に鑑みてされたものであり、ユーザーの操作を簡素化し、試行錯誤を補助し、多様な調整値を表示し、ユーザーにより多くの補正値の選択肢を与えて、より効率よく好ましい画像選択を補助するためのものである。
【課題を解決するための手段】
【００１１】
本発明は、画像補正処理を行なう画像処理装置において、補正値を一定時間ごとに更新する補正値自動更新手段と、前記補正値自動更新手段を制御する制御手段を持つことを特徴とする。
【００１２】
また、本発明は、画像補正処理を行なう画像処理装置において、補正対象を表示する補正対象表示手段と補正値を一定時間ごとに更新する補正値自動更新手段と、前記更新手段による更新に同期して、前記補正対象表示手段を更新する補正対象表示手段更新手段と、前記補正値自動更新手段を制御する制御手段を持つことを特徴とする。
【００１３】
また、本発明は、画像補正処理を行なう画像処理装置において、補正対象を表示する補正対象表示手段と補正値の増減の方向を検出する補正更新方向検出手段と、補正値を一定時間ごとに更新する補正値自動更新手段と、前記更新手段による更新に同期して、前記補正対象表示手段を更新する補正対象表示手段更新手段と、前記補正値自動更新手段を制御する制御手段を持つことを特徴とする。
【００１４】
また、本発明は、画像補正処理を行なう画像処理方法において、補正値を一定時間ごとに更新する補正値自動更新工程と、前記補正値自動更新工程を制御する制御工程を持つことを特徴とする。
【００１５】
また、本発明は、画像補正処理を行なう画像処理方法において、補正対象を表示する補正対象表示工程と補正値を一定時間ごとに更新する補正値自動更新工程と、前記更新工程による更新に同期して、前記補正対象表示工程を更新する補正対象表示工程更新工程と、前記補正値自動更新工程を制御する制御工程を持つことを特徴とする。
【００１６】
さらに、本発明は、画像補正処理を行なう画像処理方法において、補正対象を表示する補正対象表示工程と補正値の増減の方向を検出する補正更新方向検出工程と、補正値を一定時間ごとに更新する補正値自動更新工程と、前記更新工程による更新に同期して、前記補正対象表示工程を更新する補正対象表示工程更新工程と、前記補正値自動更新工程を制御する制御工程を持つことを特徴とする。
【発明の効果】
【００１７】
本発明によると、画像補正処理のパラメタ設定を簡素化することが可能となる。
【発明を実施するための最良の形態】
【００１８】
（第１の実施例）
以下、本発明の第一の実施例について、図を参照して説明する。本実施例では、明るさの調整機能を持つ画像補正システムである。
【００１９】
本システムの全体構成を図１に示す。
【００２０】
図１において、１０１は画像入力部であり、画像をデジタルデータとして読み込む装置である。これには、スキャナ、ＰＣカード、フロッピー（登録商標）ディスク、ＭＯ、ＺＩＰドライブなどが含まれる。
【００２１】
１０２は画像補正を行う本アプリケーションプログラムが入っているコンピューターであり、これには、一時的に画像データや、画像情報その他、動作時の計算結果などを保管するＲＡＭや、ハードディスクのような外部記憶装置を含むものとする。
【００２２】
１０３は画像処理や画面操作などのコマンドを入力する部分であり、この入力形態には、キーボードや、マウス（いずれも非図示）などによる入力を意味する。
【００２３】
１０４は表示装置であり、画像処理結果やアプリケーション画面を表示する装置であり、ディスプレイが含まれる。
【００２４】
図２は本発明のアプリケーションの画面である。
【００２５】
２０１は補正対象の画像が表示される補正対象画像表示領域である。２０２は自動更新のスピードを変更するための速度更新チェックである。２０３は自動更新を開始するためのスタートボタンである。２０４は明るさの現在の値を示す値スライダであり、２０５は自動更新の範囲の下限を示す下限値スライダであり、２０６は自動更新の範囲野上限を示す上限値スライダであり、２０７はＯＫボタンであり、明るさの変更を確定して終了する。２０８はキャンセルボタンであり、明るさの変更を確定せずに終了する。
【００２６】
図３は補正時のフローであり、図４は図３のＳ３０１の詳細フローである。図５はＳ３０５の詳細フローである。
【００２７】
以下、図２〜５を用いて、本プリケーションの操作の流れを説明する。
【００２８】
なお、画素値は各色８ｂｉｔのｒｇｂとする。
【００２９】
アプリケーションを起動すると補正対象画像を２０１に表示した状態で、図２のアプリケーション画面が起動する。この状態で、スライダバー２０４をドラッグして、明るさの調整を行なったり、２０３スタートボタンを選択することにより、自動補正更新モードを開始することができる。
【００３０】
自動補正更新モードのフローを図３〜５に示す。
【００３１】
まず、スタートボタンを選択するとＳ３０１へ進み、補正の方向を決定する。この補正方向の決定の詳細フローは図４に示す。
【００３２】
Ｓ４０１で補正対象の画像のヒストグラムを得る。ヒストグラムはｒｇｂ値をｇｒａｙ値に変換してヒストグラムを得る。Ｓ４０２でこのヒストグラムの重心を求める。
重心＝(Σ(画素レベルＩのヒストグラム値)×Ｉ)／(全画素数)(０＜Ｉ＜２５５)
Ｓ４０３重心の画素値レベルが１２８以下であれば、マイナス方向に補正を開始し（Ｓ４０４）、それ以上であれば、プラス方向に補正を開始する（Ｓ４０５）。
【００３３】
次に、図３に戻り、Ｓ０２で逆転フラグがたっているかのチェックを行なう。逆転フラグはマウスのダブルクリックにより設定される。
【００３４】
逆転フラグが立っている場合は、フラグを初期化し、（Ｓ３０３）増減方向を逆転し、下限値スライダ（２０５）、あるいは、上限値スライダ（２０６）を現在の値に設定する。
【００３５】
上下限値スライダの選択は値スライダの動いている方向にある上限あるいは下限値スライダを設定する。
【００３６】
例えば、値スライダが右方向に動いている際に、ダブルクリックを行なうと、上限値スライダが現在の値のところに移動する。
【００３７】
Ｓ３０５では値スライダの動作の終了条件のチェックを行なう。このチェックの詳細は図５に示す。
【００３８】
Ｓ５０１ではヒストグラムの重心と現在の値が等しいかの判断を行なう。
【００３９】
Ｓ５０２では２０３のスタートボタンは選択後、停止ボタンとなるので、このボタンが押されたかどうかの判断を行なう。
【００４０】
Ｓ５０３では現在の値スライダ２０４が上限あるいは下限にきているかどうかの判断を行なう。
【００４１】
以上の判断を行い、終了条件が成立していれば、終了し、成立していなければ、Ｓ３０６へ進む。
【００４２】
Ｓ３０６では、更新スピードの設定を行なう。２０２の速くチェックをチェックした場合、更新の際の待ち時間を例えば０．３ｓｅｃより、０．１ｓｅｃへ変更する。
【００４３】
Ｓ３０７では、Ｓ３０６で設定された時間更新を待つ。次に、Ｓ３０８では値の増減を行い、Ｓ３０９で値スライダ、補正対象画像表示画面２０１の更新を行なう。
【００４４】
これを終了条件が成立するまで、繰り返し行なう。
【００４５】
プレビュー時に、最も好ましい画像が表示された場合は、２０３の停止ボタンを選択し、自動補正更新モードを中断して、ＯＫボタン２０７を選択して、補正を確定して終了する。
【００４６】
再び、自動補正更新モードでの補正を行ないたい場合は再び、スタートボタン２０３を選択して、補正を続行する。
【００４７】
なお、本実施例では、明るさの調整の機能としての実装を行なったが、補正機能をシャープネスやソフトフォーカスなどのフィルタ機能とした場合は、スライダーの動作方向の判断部分を削除して、補正値０から最大値へ移動させるようにしても構成可能である。
【００４８】
また、本実施例では、速さの調整をチェックボックスにより２段階にしたが、これをスライダバーにして、多段階にしてもよい。
【００４９】
また、本実施例では、補正画像のみを表示したが、これは原画像と補正画像を並べて、表示するようにしても良い。
【００５０】
また、本実施例では、スタート、停止の動作をボタンを割り当てを行なったが、これは、マウスの右クリックや、右ダブルクリックなどや、キーボードの操作に割り当てても良い。
【００５１】
以上説明したように、本発明第一の実施例によれば、補正対象の画像情報より、補正方向を決定して、これに基づき、一定時間で補正値野増減を行い、補正画像を更新することにより、ユーザーがスライダをドラッグして補正値の設定を行なわなくとも、補正値が一定時間ごとに更新され、プレビューされることにより、ユーザーのスライダバーのドラッグ操作などの冗長な作業を省くことができ、また、多数の補正値をプレビューすることができる。
【００５２】
また、補正値のスライダの移動範囲を限定することにより、明らかに補正値として不適当な部分についての補正値のプレビューを避けることができる。
【００５３】
また、停止ボタンを選択することにより、ユーザーはいつでも適当と思われる値を発見した際に、補正を終了することができる。
【００５４】
また、ダブルクリックで逆転操作を行なうことにより、不要な補正値での補正プレビューを避けることができる。
【００５５】
また、速さ調整のチェックボックスで速さを調整することにより、不要な補正値での補正プレビューに要する時間を節約することができる。
【００５６】
また、補正方向の検出に画像のヒストグラムを用いることにより、画像をより好ましい方向へ修正することができる。
【００５７】
（第２の実施例）
本発明第二の実施例では、値スライダの移動範囲に比例して、補正のピッチを大きくすることにより、始めに大まかに補正値を選択した後、徐々に補正値を絞り込んでいく機能として構成した。
【００５８】
移動範囲と補正値のピッチは図６のような対応になっている。
【００５９】
移動範囲が広いほどピッチが荒く、移動範囲が狭いほどピッチが狭くなっている。補正操作の際は、スタートボタン２０３を選択後、マウスのダブルクリックを繰り返して、補正範囲を狭め、徐々に詳細の補正値の設定になるようにする。
【００６０】
これによって、効率よく補正値の選択を行なうことができる。
【００６１】
なお、本実施例では、移動範囲に従って、ピッチを変更するようにしたが、移動範囲に従って、画面の更新までの時間を変更するようにしても良い。
【００６２】
以上説明したように、本発明第二の実施例によれば、補正を行なう際に、移動範囲が広い場合は、補正ピッチを荒く、もしくは更新速度を速く、移動範囲が狭い場合は、補正ピッチを細かく、あるいは、更新速度を遅くすることにより、補正値の移動範囲が広い場合に、大まかな補正値の移動範囲を決定し、さらに詳細に補正値をプレビューして、最もこの好ましい補正値を絞り込んでいくことができる。
【図面の簡単な説明】
【００６３】
【図１】本発明第一の実施例のシステムのブロック図。
【図２】本発明第一の実施例のアプリケーション画面。
【図３】本発明第一の実施例の補正処理フロー。
【図４】本発明第一の実施例の補正方向初期値決定の詳細フロー。
【図５】本発明第一の実施例の終了処理詳細フロー。
【図６】本発明第二の実施例の値スライダ移動範囲と補正ピッチの関係図。
【図１】
2006155469.tif 000003
【図２】
2006155469.tif 000004
【図３】
2006155469.tif 000005
【図４】
2006155469.tif 000006
【図５】
2006155469.tif 000007
【図６】
2006155469.tif 000008